(57)【要約】【課題】空調用のダクト配管を実管スリーブ内に挿入した後での両者の固定作業を容易で確実なものとする。この固定作業を確実に行うための手順と方法を提供する。【解決手段】実管スリーブの側面に複数の型枠取付用釘穴部材が固着され、実管スリーブの少なくとも一方の端面の外周表面に、当該端面から実管スリーブの軸線方向外側に向かって突出する複数の接続ピースが固着され、各接続ピースは折り曲げ可能な金属材料で作られかつ実管スリーブの端面から突出した部分はその端面位置で実管スリーブの中心側に向かって折り曲げられており、この折り曲げられた部分にビス穴が設けられている。型枠撤去後に各接続ピースの折り曲げ部分を折り返し、実管スリーブに配管の差込部を挿入し、ビス穴にビスをねじ込んで実管スリーブと配管を固定する。【選択図】    図１
2006329437.tif 000002
【特許請求の範囲】
【請求項１】
空調用その他の円形の配管が構造物を貫通する部分に設置される丸管用実管スリーブであって、
実管スリーブの側面に複数の型枠取付用釘穴部材が固着され、
実管スリーブの少なくとも一方の端面の外周表面に、当該端面から実管スリーブの軸線方向外側に向かって突出する複数の接続ピースが固着され、各接続ピースは折り曲げ可能な金属材料で作られかつ実管スリーブの端面から突出した部分はその端面位置で実管スリーブの中心側に向かって折り曲げられており、この折り曲げられた部分にビス穴が設けられていることを特徴とする丸管用実管スリーブ。
【請求項２】
空調用その他の円形の配管が構造物を貫通する部分に設置される丸管用実管スリーブの使用方法であって、
実管スリーブの側面に複数の型枠取付用釘穴部材が固着され、実管スリーブの少なくとも一方の端面の外周表面に、当該端面から実管スリーブの軸線方向外側に向かって突出する複数の接続ピースが固着され、各接続ピースは折り曲げ可能な金属材料で作られかつ実管スリーブの端面から突出した部分はその端面位置で実管スリーブの中心側に向かって折り曲げられており、この折り曲げられた部分にビス穴が設けられている丸管用実管スリーブを用意し、
コンクリート打設前の型枠内に前記丸管用実管スリーブを挿入しかつ前記型枠取付用釘穴部材の中に釘を打ち込んで実管スリーブを型枠に固定し、
コンクリートを型枠内に流し込み、
各接続ピースの折り曲げ部分を実管スリーブの側面と平行になる位置まで折り返し、
実管スリーブ内に配管の差込部を挿入し、
各接続ピースのビス穴にビスをねじ込んで実管スリーブと配管を固定する、
以上の工程を包含することを特徴とする丸管用実管スリーブの使用方法。
【発明の詳細な説明】
【技術分野】
【０００１】
本発明は、空調用その他の円形の配管が建築構造物（コンクリート製）の梁・壁等を貫通する部分に設置される丸管用実管スリーブの改良に関する。実管スリーブとは工事完了後にスリーブを配管の一部として利用し内部に流体を通すスリーブのことである。
【背景技術】
【０００２】
建築構造物内で配管工事を行う際には、壁・床・梁などに必要な貫通穴をあらかじめ形成しておいてから空調用ダクト配管などを挿入するが、配管の位置が多少ずれても施工できるように、貫通する配管の外径よりもかなり大きい内径のスリーブを設置して貫通穴を形成し、その内部に配管を貫通させるのが一般的である。しかし、このようなスリーブでは、ダクト配管の施工後に配管とスリーブとの隙間を穴埋めしなければならない。そこでダクト配管の径とほぼ同じ径のスリーブをダクト配管と接続してダクト配管の一部として利用し、穴埋めの手間を不要とする実管スリーブを設置する方法が多く用いられるようになっている。ダクト配管が円形の場合は円形の実管スリーブ（丸管用実管スリーブ）が用いられるが、従来の円形実管スリーブにはその外周表面に型枠取付用の釘穴部材（釘穴ピース）が固着されているだけで、釘穴に釘を打ち込んで型枠に固定してからコンクリートを流し込んだ後では釘穴部材がコンクリートに埋もれてしまい、ダクト配管とスリーブを固定する手段がなかった。
【０００３】
そのためダクト配管と実管スリーブとの接続部が固定されずに放置され、施工中、ダクト配管を挿入しても衝撃等により抜けて脱落することになり、安全対策の面で問題があった。その対策として、配管の支持部分を増設したりしていた。また、施工完了後、地震を受けてダクト配管が前後にずれたり外れたりすることになり、耐震対策の観点からも好ましくなかった。さらに、ダクト配管とスリーブを固定するために、別の部材を用いて両者を固定しようとしても、コンクリートに埋設された実管スリーブに現場で溶接作業を行うのは困難であり、コンクリートにビスやアンカー等を打ち込んで固定金物を接続しようとしてもコンクリート用ドリルによる穴明等の多くの労力を必要とし、その際に打設したコンクリートを破壊するおそれがあった。
【０００４】
本発明と関連する配管用スリーブの従来例として次のようなものがある。
【特許文献１】特開２０００−２３４７９５「配管用梁貫通スリーブ」には、長方形の金属板の両端部を重ね合わせて環状に形成する配管用スリーブが記載されている。これは一般的なスリーブであって、ダクト配管を接続する「実管スリーブ」とは異なる。
【発明の開示】
【発明が解決しようとする課題】
【０００５】
本発明の主たる目的は、空調用のダクト配管を実管スリーブ内に挿入した後での両者の固定作業を容易で確実なものとすることにある。
本発明の他の目的は、ダクト配管と実管スリーブの固定作業を確実に行うための手順と方法を提供することにある。
【課題を解決するための手段】
【０００６】
前述した課題を解決するため、本発明はその第１の態様において、空調用その他の円形のダクト配管が構造物を貫通する部分に設置される丸管用実管スリーブであって、実管スリーブの側面に複数の型枠取付用釘穴部材が固着され、実管スリーブの少なくとも一方の端面の外周表面に、当該端面から実管スリーブの軸線方向外側に向かって突出する複数の接続ピースが固着され、各接続ピースは折り曲げ可能な金属材料で作られかつ実管スリーブの端面から突出した部分はその端面位置で実管スリーブの中心側に向かって折り曲げられており、この折り曲げられた部分にビス穴が設けられている丸管用実管スリーブを提供する。
【発明の効果】
【０００７】
この実管スリーブを用いれば、コンクリート打設前の型枠内に前記丸管用実管スリーブを挿入しかつ前記型枠取付用釘穴部材の中に釘を打ち込んで実管スリーブを型枠に固定し、コンクリートを型枠内に流し込み、固まって型枠を撤去した後に各接続ピースの折り曲げ部分を実管スリーブの側面と平行になる位置まで折り返し、実管スリーブ内にダクト配管の差込部を挿入し、各接続ピースのビス穴にビスをねじ込んで実管スリーブとダクト配管を固定する、という一連の作業において、ダクト配管を実管スリーブに挿入する際、接続ピースが外周の表面に固着しているので内部は突起物が無く平滑になり、容易に挿入され、かつ確実に固定されることになり、スリーブがダクト配管の支持部分を兼ねるため、作業工程が迅速化されかつ安全な施工が可能になり、コンクリートの破損や部材のばらつきが防止できて、仕上がり外観がきれいになるという利点が得られる。
【０００８】
本発明はその第２の態様として、空調用その他の円形の配管が構造物を貫通する部分に設置される丸管用実管スリーブの使用方法を提供する。この方法は、最初に実管スリーブの側面に複数の型枠取付用釘穴部材が固着され、実管スリーブの少なくとも一方の端面の外周表面に、当該端面から実管スリーブの軸線方向外側に向かって突出する複数の接続ピースが固着され、各接続ピースは折り曲げ可能な金属材料で作られかつ実管スリーブの端面から突出した部分はその端面位置で実管スリーブの中心側に向かって折り曲げられており、この折り曲げられた部分にビス穴が設けられている丸管用実管スリーブを用意する。次いでコンクリート打設前の型枠内に前記丸管用実管スリーブを挿入しかつ前記型枠取付用釘穴部材の中に釘を打ち込んで実管スリーブを型枠に固定し、コンクリートを型枠内に流し込み、コンクリートが固まって型枠を撤去した後に各接続ピースの折り曲げ部分を実管スリーブの側面と平行になる位置まで折り返し、実管スリーブ内に配管の差込部を挿入し、各接続ピースのビス穴にビスをねじ込んで実管スリーブとダクト配管を固定する、という工程を包含する。
【０００９】
かかる方法を用いれば、前述したように、ダクト配管を実管スリーブに挿入する際、接続ピースが外周の表面に固着しているので内部は突起物が無く平滑になり、容易に挿入され、かつ確実に固定できることになり、スリーブがダクト配管の支持部分を兼ねるため作業工程が迅速化されかつ安全な施工が可能になり、コンクリートの破損や部材のばらつきが防止できて、仕上がり外観がきれいになるという利点が得られる。
【００１０】
以下、添付図面の実施態様を参照しながら、本発明による丸管用実管スリーブとその使用方法についてさらに説明する。
【発明を実施するための最良の形態】
【００１１】
図１〜図６は本発明による丸管用実管スリーブとその使用方法の好適な態様を表しており、図７は本発明の実管スリーブを取り付ける建築構造物内の位置を表している。図７は建物の２Ｆの断面を表しており、廊下側の天井から事務室の天井部分へとダクト配管１０が延伸しており、両者の間を仕切る壁材１２には実管スリーブ２０が設置されている。
【００１２】
図１〜図３は本発明による好適な実管スリーブの例を表しており、金属製の実管スリーブ２０は、第１環状部２１と、中央の環状突起２２と、第２環状部２３とで一体に構成されている。中央の環状突起はスリーブの強度を増すこととスリーブの軸方向への移動を阻止する目的で設けられている。なお、中央の環状突起２２と第２環状部２３は省略することもできる。第１環状部２１の側面には従来のスリーブと同様に３個の型枠取付用釘穴部材２５が溶接で固着されている。さらに、本発明の特徴に基づき、第１と第２の環状部２１，２３のそれぞれの端面の外周表面に、当該端面から実管スリーブ２０の軸線方向外側に向かって突出するそれぞれ３個の接続ピース（角形平板）２６が溶接により固着されている。
【００１３】
各接続ピース２６は折り曲げ可能な金属材料で作られかつ実管スリーブ２０の端面から突出した部分はその端面位置で実管スリーブ２０の中心側に向かって直角に折り曲げられており、この折り曲げられた部分２７にはビス穴２８が設けられている。
【００１４】
図２は図１の実管スリーブ２０を側面から見た図であり、図３は図２の線Ｐ−Ｐに沿う断面図である。各部の長さは一例として、接続ピース２６の折り曲げ部分２７の長さＱを４０ｍｍ、実管スリーブの全幅Ｒを（壁厚−５）ｍｍ、実管スリーブの直径Ｄを（丸ダクトの直径＋３）ｍｍとすることができる。実管スリーブの板厚は例えば１．６ｍｍ、接続ピースの板厚は０．８ｍｍとすることができる。これらの寸法はダクト配管の直径などに応じて最適な寸法へと変更する。
【００１５】
図４〜図６は実管スリーブ２０を使用した施工方法を表している。図４において、木製の型枠４０が、コンクリート壁を形成するための凹所４２の端面を提供している。前述したように、実管スリーブ２０の側面には複数の型枠取付用釘穴部材２５が固着され、実管スリーブの両方の端面の外周表面に、当該端面から実管スリーブの軸線方向外側に向かって突出する複数の接続ピース２６が固着され、各接続ピース２６は折り曲げ可能な金属材料で作られかつ実管スリーブ２０の端面から突出した部分はその端面位置で実管スリーブ２０の中心側に向かって直角に折り曲げられている。この折り曲げられた部分２７にはビス穴２８が設けられている。さらに実管スリーブ２０の一端側は、コンクリートが内部に流れ込まないように（養生）するためにガムテープ３０で封止されている。
【００１６】
まず、本発明による実管スリーブ２０を凹所４２内の所定のダクト貫通位置にセットして、詳細図Ｓで示すように、型枠取付用釘穴部材２５の釘穴に釘３２を打ち込み、実管スリーブ２０を型枠４０に固定する。
【００１７】
次に、図５に示すように、型枠で囲った凹所４２内にコンクリート５０を流し込む。これにより、型枠取付用釘穴部材２５と釘３２はコンクリート内に埋没することになる。コンクリートが固まった後で、ガムテープ３０を除去し、詳細図Ｔに示すように、接続ピース２６の折り曲げ部分２７を実管スリーブ２０の側面と平行になる位置まで折り返し、ダクト配管の差込部を中に挿入できるようにする。実管スリーブ２０の内部を清掃し、ダクト配管の差込部を挿入した後で、折り曲げ部分２７のビス穴２８内にビスをねじ込めば、実管スリーブ２０とダクト配管とを固定する作業が終了することになる。
【００１８】
図６は、さらに好適な態様を表しており、この実施例では実管スリーブ２０は中央の突起部分２２の前後に第１と第２の環状部２１，２３が設けられているので、これを利用して、第１の環状部２１の側にダクト配管の継手（ニップル）６１を挿入し、その上にダクト配管６２を接続して、ビス３４で固定している。第２の環状部２３の側には防火ダンパ６３の端部を挿入して、ビス３４で固定し、さらにロッド６６を用いてコンクリート５０から吊り下げている。実管スリーブ２０と防火ダンパ６３との間の隙間には、ダクトシール６８を施すとよい。
【産業上の利用可能性】
【００１９】
以上、詳細に説明したように、本発明によれば、新規な構成である接続ピースの付いた実管スリーブにダクト配管を挿入する際、接続ピースが外周の表面に固着しているので内部は突起物が無く平滑になり、容易に挿入され、かつ確実に固定されることになり、実管スリーブがダクト配管の支持部分を兼ねるため、作業工程が迅速化されかつ安全な施工が可能になり、コンクリートの破損や部材のばらつきが防止できて、仕上がり外観がきれいになるという利点が得られるなど、その技術的効果には極めて顕著なものがある。
【図面の簡単な説明】
【００２０】
【図１】本発明による実管スリーブの斜視図。
【図２】実管スリーブの側面図。
【図３】図２の線Ｐ−Ｐに沿う断面図。
【図４】実管スリーブを型枠に取り付けた状態を表す断面図。
【図５】コンクリート打設後の実管スリーブを表す断面図。
【図６】実管スリーブと配管との接続状態を表す断面図。
【図７】ダクト配管用の実管スリーブを設置する位置を表す建物断面図。
【符号の説明】
【００２１】
１０  ダクト配管
１２  壁材
２０  実管スリーブ
２５  型枠取付用釘穴部材
２６  接続ピース
２７  折り曲げ部分
２８  釘穴
３２  釘
３４  ビス
４２  凹所
５０  コンクリート
６２  ダクト配管
【図１】
2006329437.tif 000003
【図２】
2006329437.tif 000004
【図３】
2006329437.tif 000005
【図４】
2006329437.tif 000006
【図５】
2006329437.tif 000007
【図６】
2006329437.tif 000008
【図７】
2006329437.tif 000009